(57)【要約】【課題】見る角度に影響されずに、展示しているポスター、カタログ等の展示物を正確かつ明確に鑑賞することが可能な展示ボードを提供すること。【解決手段】ボード本体２とボード本体２の表面側に剥離可能に貼着されたボードフィルム３を備え、ボード本体２とボードフィルム３間にポスター、カタログ等の展示物を挟持して支持することで、各種広告を展示可能とした展示ボードであって、ボードフィルム３として、ＵＶカット機能を備えたポリカーボネートフィルムの表面に凹凸処理を施して低反射機能を発揮可能としたものを用いたことを特徴としており、これにより、ボードフィルム３の表面に当たった光が乱反射することを防止可能であるため、展示ボードを変形させることなく、見る角度によって、展示している展示物が見えづらくなることを防止して、ポスター、カタログ等の展示物を正確かつ明確に鑑賞することが可能である。【選択図】図１
0003169510.tif 000002
【実用新案登録請求の範囲】
【請求項１】
ボード本体（２）と、
該ボード本体（２）の表面側に剥離可能に貼着されたボードフィルム（３）と、を備え、前記ボード本体（２）と前記ボードフィルム（３）間にポスター、カタログ等の展示物を挟持して支持することで、各種広告を展示可能とした展示ボードであって、
前記ボードフィルム（３）として、低反射機能を発揮可能なポリカーボネートフィルムを用いたことを特徴とする展示ボード。
【請求項２】
前記ボードフィルム（３）がＵＶカット機能を備えたポリカーボネートフィルムの表面に凹凸処理を施して低反射機能を発揮可能としたものであることを特徴とする請求項１に記載の展示ボード。
【考案の詳細な説明】
【技術分野】
【０００１】
本考案は、ボード本体と、このボード本体に剥離可能に貼着されて、ボード本体とともにポスター、カタログ等の展示物を挟持するボードフィルムとで構成され、各種広告等を展示するために用いられる展示ボードに係り、より詳しくは、見る角度によって展示しているポスター、カタログ等が見えづらくなることを有効に防止可能とした展示ボードに関する。
【背景技術】
【０００２】
従来から、商品広告等の手法の一つとして展示ボードが用いられており、この展示ボードを用いることにより、自社商品の宣伝等を可能としている。即ち、この展示ボードは、一般的に、発泡スチロール等により形成される板状のボード本体から構成されており、これを用いて広告等を行なう場合には、自社商品のカタログ、写真等をボード本体に貼りつけ、その後、この展示ボードを、例えば展示会場における自社ブースの目立つ箇所等に設置して、これにより自社商品、あるいは自社の広告宣伝を行なうことを可能にしている。
【０００３】
また、この展示ボードはその他、各種の催し物等においても、各種の広告を目立つ箇所に展示するために、たとえば、各種の催し物会場に出展している出店が価格を表示したり、出展商品の写真を展示したりするためにも用いられており、その用途は多岐にわたっている。
【０００４】
ところで、一般的に展示ボードでは、前述したように、ボード本体にポスター、カタログ等を貼り付けることにより使用されるが、ポスター、カタログ等を保護するために、ボード本体に、透明な樹脂フィルム等からなるボードフィルムを剥離可能に貼り付けて、ボード本体とボードフィルムとの間にポスター、カタログ等を挟持して使用する場合がある。
【０００５】
しかしながら、樹脂フィルム等をボードフィルムとして用いた場合には、ボードフィルムに当たった蛍光灯の光や、自然光が乱反射してしまうために、見る角度によっては、ポスター、カタログ等の展示物が見えづらいという問題点が指摘されている。
【０００６】
この点、本考案者は過去において、パネルを湾曲させて、これにより当たった光の乱反射を防止する額縁を提案しており、この方法を展示ボードに応用することも可能だが、ボードを湾曲させた場合には当然、ポスター、カタログ等も変形してしまうために、見えづらいという問題点が考えられる。
【０００７】
そこで、本考案者は、このような問題点を解決する方法として、ＵＶカット用再生ＰＥＴフィルムの表面に凹凸処理を施して低反射機能を発揮可能としたものをボードフィルムとして用いて、ボードフィルムに当たった光の反射を低反射にして、展示しているポスター、カタログ等が見えづらくなることを防止可能とした展示ボードを提案した。
【先行技術文献】
【特許文献】
【０００８】
【特許文献１】実用新案登録第３０９６４４３号公報
【特許文献２】実用新案登録第３１６０３７６号公報
【考案の概要】
【考案が解決しようとする課題】
【０００９】
このように、ＵＶカット用再生ＰＥＴフィルムの表面に凹凸処理を施して低反射機能を発揮可能としたものをボードフィルムとして用いることで、ボードを変形させることなく、見る角度に影響されずに、展示しているポスター、カタログ等を正確かつ明確に鑑賞することが可能となるが、その一方、ＰＥＴフィルムでは、一般的なフィルムに比べると強度、耐熱性が優れてはいるが、それでも、熱や衝撃に弱いという問題点は避けられない。
【００１０】
そこで、本考案は、見る角度に影響されずに、展示しているポスター、カタログ等の展示物を正確かつ明確に見ることが可能であるとともに、耐熱性、耐衝撃性に優れた展示ボードを提供することを課題としている。
【課題を解決するための手段】
【００１１】
本考案の展示ボードは、
ボード本体と、
該ボード本体の表面側に剥離可能に貼着されたボードフィルムと、を備え、前記ボード本体と前記ボードフィルム間にポスター、カタログ等の展示物を挟持して支持することで、各種広告を展示可能とした展示ボードであって、
前記ボードフィルムとして、低反射機能を発揮可能なポリカーボネートフィルムを用いたことを特徴としている。
【考案の効果】
【００１２】
本考案の展示ボードでは、ボード本体とともにポスター、カタログ等の展示物を挟持しつつ支持するボードフィルムとして、低反射機能を発揮可能なポリカーボネートフィルムを用いているため、これによって、ボードフィルムに当たった光の反射が低反射になり、展示しているポスター、カタログ等が見えづらくなることを防止可能である。
【００１３】
また、ポリカーボネートは耐衝撃性、耐熱性、難燃性を有しているため、本考案の展示ボードでは、見る角度に影響されずに展示しているポスター、カタログ等の展示物を正確かつ明確に見ることが可能であるほか、耐熱性、耐衝撃性に優れた展示ボードを得ることが可能である。
【００１４】
従って、本考案の展示ボードでは、ボードを変形させることなく、見る角度に影響されずに、展示しているポスター、カタログ等の展示物を正確かつ明確に見ることが可能であるとともに、耐熱性、耐衝撃性に優れた展示ボードを得ることが可能である。
【図面の簡単な説明】
【００１５】
【図１】本考案の展示ボードの実施例を示す斜視図である。
【図２】本考案の展示ボードの実施例の側面構造を示す断面図である。
【考案を実施するための形態】
【００１６】
本考案の展示ボードでは、発泡スチロール、厚紙等により構成されるボード本体を有しており、このボード本体の表面には、ボードフィルムが、剥離可能にして貼着されており、ボード本体とボードフィルムとにより、ポスター、カタログ等の展示物を挟持して支持可能としている。
【００１７】
そして、本考案において、前記ボードフィルムとしては、低反射機能を発揮可能なポリカーボネートフィルムを用いている。
【００１８】
ここで、前記ボードフィルムとして用いる低反射機能を発揮可能なポリカーボネートフィルムとしては、低反射を発揮可能なフィルムであれば何れでも良いが、特に、ＵＶカット機能を備えたポリカーボネートフィルムの表面に凹凸処理を施して低反射機能を発揮可能としたものを用いるとよい。
【実施例１】
【００１９】
本考案の展示ボードの実施例について図面を参照して説明すると、図１は、本実施例の展示ボードの正面側斜視図であり、また、図２は、本実施例の展示ボードの側面構造を示す断面図であり、図において１が本実施例の展示ボードであり、図１、２において４は、展示ボード１によって展示しているポスター、カタログ等の展示物である。
【００２０】
そして、本実施例の展示ボード１は、全体として略四角形状としたボード本体を有している。即ち、図において２がボード本体であり、本実施例において前記ボード本体２は、全体として四角形状の板状としており、このボード本体２としては、例えば発泡スチロール製のボードを用いるとよいが、その他、樹脂製、金属製、木製等の素材によりボード本体２を形成してもよい。
【００２１】
そして、前記ボード本体２の一方の面には、その全面に亘って、ボードフィルム３が、剥離自在に貼着されており、ボードフィルム３の一部又は全部を剥離して、前記ボード本体２とボードフィルム３間にポスター、カタログ等の展示物を挟み込み、その後に再び、剥離したボードフィルム３をボード本体２に貼着することで、ポスター、カタログ等の展示物を、ボード本体２とボードフィルム３で挟持しつつ支持して、本実施例の展示ボード１に展示可能としている。
【００２２】
ここで、前記ボードフィルム３について説明すると、本実施例の展示ボード１における前記ボードフィルム３は、低反射機能を発揮可能なフィルムを用いており、より詳しくは、ＵＶカット機能を備えたポリカーボネートフィルムの表面に凹凸処理を施して低反発機能を発揮可能としたフィルムを用いて構成されており、これによって、ボードフィルム３の表面に当たった光の反射を低反射にして、展示しているポスター、カタログ等が見る角度によって見えづらくなることを防止している。
【００２３】
即ち、近年、透明性、耐衝撃性、耐熱性及び難燃性に優れるとともに、その性能の高さに比べて安価であるポリカーボネートフィルムが提供されており、また、フィルム製造工程でＵＶカット材を配合して、紫外線の透過率を抑えて掲示物の紫外線劣化を少なくする効果を発揮するＵＶカットフィルムが提供されているが、本考案者は、これらのポリカーボネートフィルムやＵＶカットフィルムの存在に着目して、フィルム製造工程でＵＶカット材を配合してＵＶカット機能を備えたポリカーボネートフィルムを用いて、このポリカーボネートフィルムの表面に凹凸処理を施して、これによって低反射機能を発揮可能なフィルムにしたものを、展示ボードのボードフィルムに用いることとした。
【００２４】
そのため、本実施例の展示ボード１では、紫外線の透過率を抑えて展示物の紫外線劣化を少なくすることができ、更に、フィルムの表面に凹凸処理を施して低反射機能を発揮可能にしているため、当たった光を乱反射させて表面の反射を抑え、それによって展示物を見やすくすることができ、見る角度によって展示しているポスター、カタログ等が見えづらくなることを有効に防止できるため、特に、展示ボードを変形させることなく、見る角度に影響されずに、展示しているポスター、カタログ等を正確かつ明確に見ることが可能な展示ボードを得ることが可能である。
【００２５】
また、ボードフィルムとしてポリカーボネートフィルムを用いているために、耐熱性、耐衝撃性、及び難燃性に優れるとともに、その性能の高さに比べてコストを抑えることが可能な展示ボードを得ることが可能である。
【００２６】
なお、ポリカーボネートフィルムの表面に凹凸処理を施した場合には、光を乱反射させて表面の反射を抑えて展示物を見やすくする効果、即ち、フィルムが低反射になる効果がある反面、透過率が悪くなり展示物の鮮明度が落ちるという欠点があるが、展示ボードにおいては、ボードフィルムと展示物が密着されるために、使用上は問題になることがない。
【００２７】
従って、本実施例の展示ボードでは、展示ボードを変形させることなく、見る角度に影響されずに、展示しているポスター、カタログ等の展示物を正確かつ明確に見ることが可能であるとともに、耐熱性、耐衝撃性に優れた展示ボードを得ることが可能である。
【００２８】
次に、このように構成される本実施例の展示ボードの使用方法及び作用について説明すると、本実施例の展示ボードにポスター、カタログ等の展示物を展示する場合には、前述したように、ボードフィルムの全部あるいは一部を剥離した後に、ボード本体２とボードフィルム３間にポスター、カタログ等の展示物を挟み込み、その後に、図２に示すように、剥離してあったボードフィルム３を再びボード本体２に貼着する。
【００２９】
そうすると、これにより、ボード本体２とボードフィルム３間にポスター、カタログ等の展示物を支持でき、それにより、本実施例の展示ボード１に、ポスター、カタログ等の展示物を展示することができる。
【００３０】
そしてこの状態において、蛍光灯の光や自然光がボードフィルム３の表面に当たった場合には、本実施例の展示ボード１では、ボードフィルム３として、ＵＶカット機能を備えたポリカーボネートフィルムの表面に凹凸処理を施して低反射機能を発揮可能としたものを用いているために、ボードフィルム３に当たった光が乱反射して表面の反射を抑えて展示物を見やすくすることができる。
【００３１】
従って、本実施例の展示ボードでは、見る角度によって展示しているポスター、カタログ等が見えづらくなることを有効に防止でき、特に、展示ボードを変形させることなく、見る角度に影響されずに、展示しているポスター、カタログ等を正確かつ明確に鑑賞することが可能である。
【００３２】
また、本実施例の展示ボード１では、紫外線の透過率を抑えて展示物の紫外線劣化を少なくすることができ、更に、展示しているポスター、カタログ等の展示物は透明体に密着されるため、鮮明度が大きく落ちることも無い。
【００３３】
更に、本実施例の展示ボード１では、ポリカーボネートフィルムを用いているために、耐熱性、耐衝撃性、及び難燃性に優れるとともに、その性能の高さに比べてコストを抑えることが可能である。
【００３４】
このように、本実施例の展示ボード１では、ボード本体とともにポスター、カタログ等を保護しつつ支持するためのボードフィルムとして、ＵＶカット機能を備えたポリカーボネートフィルムの表面に凹凸処理を施して低反射機能を発揮可能としたものを用いているために、展示ボードを変形させることなく、見る角度に影響されずに、展示しているポスター、カタログ等を正確かつ明確に鑑賞することが可能であるとともに、耐熱性、耐衝撃性に優れ、更に、紫外線の透過率を抑えて展示物の紫外線劣化を少なくすることもできる。
【産業上の利用可能性】
【００３５】
本考案の展示ボードでは、ボード本体とこのボード本体の表面側に剥離可能に貼着されたボードフィルムとを備えて、ボード本体とボードフィルム間にポスター、カタログ等の展示物を挟持して支持することで各種広告を展示可能とした展示ボードにおいて、ＵＶカット機能を備えたポリカーボネートフィルムの表面に凹凸処理を施して低反射機能を発揮可能としたものをボードフィルムとして用いて、これによって、ボードフィルムに当たった光が乱反射して展示しているポスター、カタログ等が見えづらくなることを防止したことを特徴にするとともに、耐熱性、耐衝撃性に優れたものにしているために、ボードフィルムを備えて各種のポスター、カタログ等を展示可能とした展示ボードの全般に適用可能である。
【符号の説明】
【００３６】
１    展示ボード
２    ボード本体
３    ボードフィルム
４    ポスター、カタログ等の展示物
【図１】
0003169510.tif 000003
【図２】
0003169510.tif 000004